(57)【特許請求の範囲】
【請求項１】
軒樋の前後両側の上縁耳部を樋吊具で係止支持してなる軒樋装置であって、樋吊具に対する軒樋の長手方向でのスライド移動を防止するストッパー部材を前側の上縁耳部に固着し、同ストッパー部材に飾り板取付用の嵌合受け部を上方へ突設してなる軒樋装置。
【請求項２】
軒樋の前側の上縁耳部に沿ってその内側に形成された凹溝部が樋吊具の前端に形成された凸片部に係止されており、ストッパー部材を同凹溝部に嵌合固着したことを特徴とする請求項１記載の軒樋装置。
【請求項３】
凹溝部の縦断面形状がその奥方へ向かって前方上方へと略Ｌ字状に屈曲しており、ストッパー部材にはその本体部から前方上方へと略Ｌ字状に屈曲突出した凸起部を形成し、凸起部を凹溝部に挿入嵌合させてストッパー部材を固着したことを特徴とする請求項２記載の軒樋装置。
【請求項４】
ストッパー部材を固着した状態でその本体部の略水平となる上面が軒樋の前側の上縁耳部上端よりも低くなるように設定し、同上面に凸状の嵌合受け部を突設したことを特徴とする請求項３記載の軒樋装置。
【発明の詳細な説明】
【技術分野】
【０００１】
本願発明は、樋吊具に吊下保持された軒樋の長手方向でのスライド移動を防止するストッパー部材が備えられた軒樋装置に関するものである。
【背景技術】
【０００２】
軒樋は、通常、軒樋支持具を用いて建物の軒先に取り付けられている。この軒樋支持具として、軒樋を吊下支持する樋吊具があり、例えば、樋吊具は、夏冬の温度差による軒樋の伸縮を考慮して、軒樋の長手方向での移動が自在となるように、軒樋の前後両側の上縁耳部を同樋吊具の前後両側の耳保持部で摺動自在に引っ掛け係止している。それ故、この樋吊具を用いて軒樋を建物の軒先に取り付ける際、既に取り付けた軒樋に作業者の手や物が当たったりして、軒樋は長手方向に移動することがある。また、取り付けた後にも、暴風雨等の際の外力によって、軒樋は長手方向に移動することがある。
【０００３】
このように、軒樋が長手方向に移動すると、軒樋は所定の位置からずれ動いて樋吊具から外れてしまうこともあり、これを防ぐために軒樋の前側の上縁耳部に固着して用いられる種々のストッパー部材が提案されている。その一例として特開平１１−９３３５１号公報（特許文献１）をあげることができ、このものにあっては、軒樋の前側の上縁耳部に固着されたストッパー部材が樋吊具に当止されることにより、軒樋の長手方向での範囲を越えた移動が防止されるものである。
【特許文献１】特開平１１−９３３５１号公報
【発明の開示】
【発明が解決しようとする課題】
【０００４】
また、従来から、図６に示すように、軒樋１の前後両側の上縁耳部２（２ａ、２ｂ）を樋吊具３で係止支持してなる軒樋装置において、前側の上縁耳部２ａに飾り板１１を取り付けることは一般に行われている。この場合、飾り板１１の下端部分に形成された凹状の嵌合部１２が軒樋１の前側の上縁耳部２ａに嵌合固定されるものであるが、軒樋１の種類によってその前側の上縁耳部２ａの形状はさまざまであり、これに対応して、嵌合部１２の形状の異なる多種類の飾り板１１を品揃えしなければならないという問題があった。
【０００５】
本願発明は、このような問題を解決すべく上記背景技術に鑑みてなされたもので、その課題は、樋吊具に対する軒樋の長手方向でのスライド移動を防止するストッパー部材が好適に用いられて、飾り板が簡単かつ確実に取り付けられ、飾り板の品種も集約化されるようになる軒樋装置を提供することである。
【課題を解決するための手段】
【０００６】
上記課題を解決するために、本願発明の軒樋装置では、軒樋の前後両側の上縁耳部を樋吊具で係止支持してなる軒樋装置であって、樋吊具に対する軒樋の長手方向でのスライド移動を防止するストッパー部材を前側の上縁耳部に固着し、同ストッパー部材に飾り板取付用の嵌合受け部を上方へ突設している。
【発明の効果】
【０００７】
本願発明の軒樋装置においては、軒樋が樋吊具によって吊下支持されており、この状態でストッパー部材が樋吊具に当止されることによって、軒樋の長手方向での範囲を越えたスライド移動が防止される。そして、ストッパー部材に飾り板取付用の嵌合受け部を上方へ突設しているので、この嵌合受け部に飾り板の下端部分に形成される嵌合部を嵌合固定して、飾り板を簡単かつ確実に取り付けることができる。しかも、ストッパー部材の嵌合受け部の形状を統一化することにより、飾り板の嵌合部の形状もこれに対応して統一化され、飾り板の品種を集約化することができる。
【発明を実施するための最良の形態】
【０００８】
図１〜４は、本願の請求項１〜４全てに対応した一実施形態である軒樋装置を示している。この実施形態の軒樋装置は、図１に示すように、軒樋１の前後両側の上縁耳部２を樋吊具３で係止支持してなるものである。そして、この軒樋装置においては、樋吊具３に対する軒樋１の長手方向でのスライド移動を防止するストッパー部材４を前側の上縁耳部２ａに固着し、同ストッパー部材４に飾り板（図２〜４に１１で示す）取付用の嵌合受け部５を上方へ突設している。
【０００９】
この実施形態の軒樋装置では、軒樋１の前側の上縁耳部２ａに沿ってその内側に形成された凹溝部６が樋吊具３の前端に形成された凸片部７に係止されており、ストッパー部材４を同凹溝部６に嵌合固着している。この場合、図３にも示すように、凹溝部６の縦断面形状がその奥方へ向かって前方上方へと略Ｌ字状に屈曲しており、ストッパー部材４にはその本体部８から前方上方へと略Ｌ字状に屈曲突出した凸起部９を形成し、凸起部９を凹溝部６に挿入嵌合させてストッパー部材４を固着している。そして、ストッパー部材４を固着した状態でその本体部８の略水平となる上面８１が軒樋１の前側の上縁耳部２ａ上端よりも低くなるように設定し、同上面８１に凸状の嵌合受け部５を突設している。
【００１０】
以下、この実施形態の軒樋装置をより具体的詳細に説明する。図１に示すように、軒樋１は上方に開口した溝型で、底板部１ａとその前後端で立ち上がる前板部１ｂ、後板部１ｃとでなり、合成樹脂で一体に押出成形されたり、金属板材に折曲加工が施される等して形成されたものである。軒樋１の前板部１ｂ及び後板部１ｃの上端には各々中空状の上縁耳部２が一体に形成されており、前側の上縁耳部２ａが後方へ倒れるように同前板部１ｂの上端部分が折曲していることで、その内側に凹溝部６が形成されている。そのため、この凹溝部６は縦断面において、その奥方へ向かって前方上方へと略Ｌ字状に屈曲した形状となっている。
【００１１】
樋吊具３は合成樹脂、金属等で形成され、その後端部分が建物の軒先（図示せず）に固定されて、前記軒樋１を吊下支持するものである。樋吊具３の前端部分は帯板状でその先端に上方へ折曲した凸片部７が形成されており、この凸片部７は略Ｌ字状に屈曲した形状でこれに前記軒樋１の凹溝部６が引っ掛け係止される。樋吊具３の後部には略Ｌ字状に屈曲垂下した後耳保持部１０が形成されており、この後耳保持部１０に後側の上縁耳部２ｂが係合されると共に、前記凸片部７に凹溝部６が引っ掛け係止されることによって、軒樋１は樋吊具３で吊下支持される。
【００１２】
前記樋吊具３に近接した位置において、軒樋１の凹溝部６にストッパー部材４が嵌合固定される。この場合、ストッパー部材４の後述する凸起部９が凹溝部６に差し込まれるように嵌合され、接着剤によって強固に固定される。この状態で、図１に示すように、軒樋１がＸ方向にずれ動こうとしても、ストッパー部材４が樋吊具３の前端部分に当止するので、軒樋１はスライド移動することができない。そして、図２〜４に示すように、必要に応じてストッパー部材４に飾り板１１が取り付けられ、ここでは、飾り板１１の下端部分に形成された凹状の嵌合部１２がストッパー部材４の嵌合受け部５に嵌合固定される。その際、飾り板１１を強固に固定するために、接着剤を介して嵌合させてもよい。
【００１３】
ストッパー部材４は合成樹脂でなり、全体として水平方向に開口貫通した略筒中空形状に形成されている。そして、図１、３に示すように、ストッパー部材４が前記軒樋１の凹溝部６に嵌合固定された状態で、その本体部８の上面８１は軒樋１の前側の上縁耳部２ａ上端よりも低くなるように設定されており、同本体部８の略水平な上面８１に嵌合受け部５が突設されている。嵌合受け部５は水平方向に開口貫通した略角筒中空形状の凸状であり、図４に示すように、略角筒中空形状の本体筒状部５ａとストッパー部材４の本体部８の上面８１とが細巾のくびれ状部５ｂを介し一体となって形成されている。
【００１４】
飾り板１１は合成樹脂、金属等で一体に形成され、この飾り板１１として従来から市販されているものをそのまま用いることができる。図２に示すように、飾り板１１の下端部分の両端付近には嵌合部１２が間隔をあけて配設されており、ストッパー部材４は同間隔に対応するよう軒樋１の前側の上縁耳部２ａに配置されて固着されるが、その際、一方のストッパー部材４は前記樋吊具３に近接した位置で固着される。また、嵌合部１２は全体として下方に開口した凹状であるが、前側の一つの直垂下片１２ａと後側の二つの屈曲垂下片１２ｂとで形成されており、両屈曲垂下片１２ｂは直垂下片１２ａの両側に配設されている。
【００１５】
図４に示すように、前記直垂下片１２ａ及び屈曲垂下片１２ｂの下端縁には相対向するように突出した係止凸起１３が形成されており、この係止凸起１３から斜め後方へ屈曲するように屈曲垂下片１２ｂは延設されている。この屈曲垂下片１２ｂの延設部分は操作ガイド片１４となるもので、嵌合部１２をストッパー部材４の嵌合受け部５に嵌着する際のガイド機能と、同嵌合受け部５から取り外す際に手先を掛ける操作片としての機能とを有している。
【００１６】
また、飾り板１１の嵌合部１２の前記両係止凸起１３は、前記ストッパー部材４の嵌合受け部５の本体筒状部５ａにおいてその略角筒中空形状の両下角部分に係止され、ストッパー部材４の嵌合受け部５に対して飾り板１１の嵌合部１２が弾性をもって着脱自在に嵌合固定される。この場合、図１、３に示すように、ストッパー部材４の本体部８の上面８１が軒樋１の前側の上縁耳部２ａ上端よりも低くなっているので、嵌合受け部５と嵌合部１２との嵌合固定部位は軒樋１の前下方外側から見え難くなる。
【００１７】
前記ストッパー部材４の本体部８には前方上方へと略Ｌ字状に屈曲突出した凸起部９が一体に形成されており、図４に示すように、同凸起部９の上側には溝状部１５ａが形成されることになる。ストッパー部材４の本体部８の略水平となる上面８１には、嵌合受け部５の後側にも溝状部１５ｂが形成されており、両溝状部１５ａ、１５ｂは、同上面８１に溜まる雨水を軒樋１内へと流して案内する排水溝の役目を果たす。また、後側の溝状部１５ｂには、前記飾り板１１の嵌合部１２の操作ガイド片１４先端部分が納められる。
【００１８】
図１、３に示すように、ストッパー部材４の前記凸起部９が軒樋１の凹溝部６に挿入嵌合されて、ストッパー部材４は同軒樋１に固着される。この場合は、本体部８から前方上方へと略Ｌ字状に屈曲突出する凸起部９を軒樋１の凹溝部６に挿入嵌合させてストッパー部材４を固定しているが、異なる種類の軒樋１に対応する場合、同ストッパー部材４を前後に反転させて用いることもできる。
【００１９】
すなわち、ストッパー部材４の凸起部９とは反対側にも形状の相違した凸起部９１が形成されており、同ストッパー部材４を前後逆にすることで、前記とは反対側の凸起部９１が本体部８から前方上方へと略Ｌ字状に屈曲突出することになり、この凸起部９１を軒樋１の凹溝部６に挿入嵌合させてストッパー部材４を固定することができる。そして、この場合にあっても、嵌合受け部５が前後対称形状に形成されていることで、ストッパー部材４には飾り板１１を前記と同じ向きにして着脱自在に取り付けることができる。
【００２０】
したがって、この実施形態の軒樋装置においては、軒樋１が樋吊具３によって吊下支持されており、この状態でストッパー部材４が樋吊具３の前端部分に当止されることによって、軒樋１の長手方向での範囲を越えたスライド移動が防止される。そして、ストッパー部材４に飾り板取付用の嵌合受け部５を上方へ突設しているので、この嵌合受け部５に飾り板１１の下端部分に形成される嵌合部１２を上方から嵌着させて、飾り板１１を簡単かつ確実に取り付けることができる。しかも、ストッパー部材４の嵌合受け部５の形状を統一化することにより、飾り板１１の嵌合部１２の形状もこれに対応して統一化され、飾り板１１の品種を集約化することができる。
【００２１】
また、飾り板１１が不要な場合、ストッパー部材４は取り付けておいて、飾り板１１だけを取り付けなければよい。しかも、軒樋１の前側の上縁耳部２ａに沿ってその内側に形成された凹溝部６が樋吊具３の前端に形成された凸片部７に係止されており、ストッパー部材４を同凹溝部６に嵌合固着しているので、このストッパー部材４は樋吊具３と共に前方外側から見え難くなり、飾り板１１を取り付ける軒樋１の前側部位が違和感なく外観良好に納まる。
【００２２】
また、この実施形態の軒樋装置においては、軒樋１の凹溝部６の縦断面形状がその奥方へ向かって前方上方へと略Ｌ字状に屈曲しており、ストッパー部材４にはその本体部８から前方上方へと略Ｌ字状に屈曲突出した凸起部９が形成されて、この凸起部９が凹溝部６に挿入嵌合されるので、ストッパー部材４は軒樋１に対して確実に嵌合固定されるものでありながら、その着脱作業が容易なものとなる。
【００２３】
また、この場合に、ストッパー部材４を固着した状態でその本体部８の略水平となる上面８１が軒樋１の前側の上縁耳部２ａ上端よりも低くなるように設定され、同上面８１に凸状の嵌合受け部５が突設されているので、この嵌合受け部５に嵌合部１２が嵌着されて立設される飾り板１１は、同ストッパー部材４の本体部８の略水平な上面８１上にぐらつかないよう安定した状態で確実に取り付け固定される。しかも、ストッパー部材４と共に飾り板１１の嵌合固定部位も軒樋１の前下方外側から見え難くなって、同飾り板１１を取り付ける軒樋１の前側部位はより外観良好に納まる。
【００２４】
図５（ａ）は、本願の請求項１〜４全てに対応した別の実施形態である軒樋装置を示している。この実施形態の軒樋装置では、ストッパー部材４の本体部８の上面８１に突設される凸状の嵌合受け部５の前後両外壁面が凸凹面状に形成され、これに対応して、飾り板１１の下端部分に形成される凹状の嵌合部１２の前後両内壁面も凹凸面状に形成されており、両者はより確実に係止嵌合され、接着剤を介して嵌合されれば飾り板１１がより強固に立設固定される。なお、それ以外は、上記実施形態と同様に構成されており、上記実施形態におけると同様の作用効果が奏される。
【００２５】
図５（ｂ）は、本願の請求項１〜３に対応した更に別の実施形態である軒樋装置を示している。この実施形態の軒樋装置では、ストッパー部材４の本体部８の上面８１に突設される嵌合受け部５が凹溝状で、飾り板１１の下端部分に形成される嵌合部１２は凸状であり、嵌合受け部５の前後両内壁面が凸凹面状に形成され、これに対応して、嵌合部１２の前後両外壁面も凹凸面状に形成されており、両者はより確実に係止嵌合され、接着剤を介して嵌合されれば飾り板１１がより強固に立設固定される。なお、それ以外は、上記実施形態と同様に構成されており、上記実施形態におけると同様の作用効果が奏される。
【図面の簡単な説明】
【００２６】
【図１】本願発明の一実施形態である軒樋装置の施工状態を示す斜視図。
【図２】同軒樋装置において飾り板が取り付けられる状態を示す分解斜視図。
【図３】同軒樋装置において飾り板が取り付けられた状態を示す縦断面図。
【図４】同軒樋装置におけるストッパー部材と飾り板との結合状態を示す縦断面図。
【図５】（ａ）、（ｂ）各々異なる別の実施形態である軒樋装置において飾り板が取り付けられる状態を示す分解概略縦断面図。
【図６】従来例である軒樋装置において飾り板が取り付けられる状態を示す分解斜視図。
【符号の説明】
【００２７】
１  軒樋
２  上縁耳部
２ａ  前側の上縁耳部
２ｂ  後側の上縁耳部
３  樋吊具
４  ストッパー部材
５  嵌合受け部
６  凹溝部
７  凸片部
８  本体部
８１  上面
９  凸起部
【図１】
0004534928.tif 000002
【図２】
0004534928.tif 000003
【図３】
0004534928.tif 000004
【図４】
0004534928.tif 000005
【図５】
0004534928.tif 000006
【図６】
0004534928.tif 000007